(57)【要約】【課題】多数個を密度高く箱詰めすることができて輸送効率を高め、店頭において、吊下棒から吊り下げて展示することも、展示台に載置して展示することもできる自立性ブリスター包装材を提供する。【解決手段】表裏２枚の合成樹脂フィルムからなる袋体とブリスターの周縁にフランジを有するブリスター部とからなるブリスター包装材において、ブリスターの下側面が袋体と略直交する平面であり、袋体の下縁が該平面の近傍に存在し、ブリスターの下側面につながる部分のフランジがブリスターの内側に折り曲げられて舌片となり、袋体の表面側の合成樹脂フィルムに窓穴が開けられ、ブリスターが窓穴より突出し、フランジが表裏２枚の合成樹脂フィルムにより挟持されてなることを特徴とする自立性ブリスター包装材。【選択図】図３
2007091244.tif 000002
【特許請求の範囲】
【請求項１】
表裏２枚の合成樹脂フィルムからなる袋体とブリスターの周縁にフランジを有するブリスター部とからなるブリスター包装材において、ブリスターの下側面が袋体と略直交する平面であり、袋体の下縁が該平面の近傍に存在し、ブリスターの下側面につながる部分のフランジがブリスターの内側に折り曲げられて舌片となり、袋体の表面側の合成樹脂フィルムに窓穴が開けられ、ブリスターが窓穴より突出し、フランジが表裏２枚の合成樹脂フィルムにより挟持されてなることを特徴とする自立性ブリスター包装材。
【請求項２】
ブリスター部の横側方のフランジの二つの側縁が略平行な二直線であり、該二直線間の距離が、袋体の幅に略等しい請求項１記載の自立性ブリスター包装材。
【請求項３】
ブリスター部と接しない部分の合成樹脂フィルムに、幅方向の開口部が設けられてなる請求項１記載の自立性ブリスター包装材。
【請求項４】
開口部を覆う開口部舌片を有し、該開口部舌片又は該開口部舌片と接する部分の袋体に、剥離材により覆われた粘着剤層を有する請求項３記載の自立性ブリスター包装材。
【請求項５】
ブリスター部のフランジが、合成樹脂フィルムに断続的に部分接着されてなる請求項１記載の自立性ブリスター包装材。
【請求項６】
表裏２枚の合成樹脂フィルムの間に、合成樹脂シート又は合成紙からなる芯材が設けられてなる請求項１記載の自立性ブリスター包装材。
【請求項７】
表裏２枚の合成樹脂フィルムにそれぞれ窓穴が設けられ、ブリスターの下側面につながる部分のフランジがブリスターの内側に折り曲げられた舌片となり、フランジが合成樹脂フィルムと芯材により挟持され、それぞれの窓穴よりブリスターが外側へ突出してなる請求項６記載の自立性ブリスター包装材。
【発明の詳細な説明】
【技術分野】
【０００１】
本発明は、自立性ブリスター包装材に関する。さらに詳しくは、本発明は、多数個を密度高く箱詰めすることができて輸送効率を高め、店頭において、吊下棒から吊り下げて展示することも、展示台に載置して展示することもできる自立性ブリスター包装材に関する。
【背景技術】
【０００２】
収納される商品の形状に合わせて、熱可塑性樹脂シートを真空成形法、圧空成形法などにより形成したブリスターに商品を収納し、台紙に取り付けるブリスター包装材は、透明な包装で商品がよく見え、複雑な形状の商品でも形状に合わせたブリスターを形成して商品を固定するとともに、包装材が有する緩衝効果により商品を保護することができる。
従来より、商品収納用のブリスターを有する熱可塑性樹脂シートを台紙に取り付ける方法として、熱可塑性樹脂シートと同系統の樹脂を塗布した台紙に、ブリスター部のフランジを熱溶着する方法、長方形のブリスター部の三辺の端をコの字形に折り曲げ加工し、その凹部に沿って台紙をスライドさせる方法、ブリスター部のフランジと台紙を感圧接着剤を用いて接着する方法などが採用されてきた。
しかし、このようなブリスター包装材は、商品を収納するブリスターの四周に台紙が存在するので、多数個のブリスター包装材を輸送のために箱詰めするときなどに、台紙が邪魔になって密度の高い充填をすることができない。また、店頭において展示する場合は、篭などにバラ積みするか、あるいは、ブリスター包装材に吊下孔を備えたヘッダー部を設けて、吊下棒から吊り下げて展示する以外に展示方法がない。
【発明の開示】
【発明が解決しようとする課題】
【０００３】
本発明は、多数個を密度高く箱詰めすることができて輸送効率を高め、店頭において、吊下棒から吊り下げて展示することも、展示台に載置して展示することもできる自立性ブリスター包装材を提供することを目的としてなされたものである。
【課題を解決するための手段】
【０００４】
本発明者は、上記の課題を解決すべく鋭意研究を重ねた結果、表裏２枚の合成樹脂フィルムからなる袋体に窓穴を開けてブリスターを突出させ、ブリスターの周縁のフランジを表裏２枚の合成樹脂フィルムで挟持し、ブリスターの下側面を袋体と略直交する平面とし、該平面と袋体の下縁の位置を略一致させることにより、多数個のブリスター包装材を密度高く箱詰めすることができ、かつ、ブリスター包装材が自立性を有して、店頭において展示台に載置して展示することが可能となることを見いだし、この知見に基づいて本発明を完成するに至った。
すなわち、本発明は、
（１）表裏２枚の合成樹脂フィルムからなる袋体とブリスターの周縁にフランジを有するブリスター部とからなるブリスター包装材において、ブリスターの下側面が袋体と略直交する平面であり、袋体の下縁が該平面の近傍に存在し、ブリスターの下側面につながる部分のフランジがブリスターの内側に折り曲げられて舌片となり、袋体の表面側の合成樹脂フィルムに窓穴が開けられ、ブリスターが窓穴より突出し、フランジが表裏２枚の合成樹脂フィルムにより挟持されてなることを特徴とする自立性ブリスター包装材、
（２）ブリスター部の横側方のフランジの二つの側縁が略平行な二直線であり、該二直線間の距離が、袋体の幅に略等しい(１)記載の自立性ブリスター包装材、
（３）ブリスター部と接しない部分の合成樹脂フィルムに、幅方向の開口部が設けられてなる(１)記載の自立性ブリスター包装材、
（４）開口部を覆う開口部舌片を有し、該開口部舌片又は該開口部舌片と接する部分の袋体に、剥離材により覆われた粘着剤層を有する(３)記載の自立性ブリスター包装材、
（５）ブリスター部のフランジが、合成樹脂フィルムに断続的に部分接着されてなる(１)記載の自立性ブリスター包装材、
（６）表裏２枚の合成樹脂フィルムの間に、合成樹脂シート又は合成紙からなる芯材が設けられてなる(１)記載の自立性ブリスター包装材、及び、
（７）表裏２枚の合成樹脂フィルムにそれぞれ窓穴が設けられ、ブリスターの下側面につながる部分のフランジがブリスターの内側に折り曲げられた舌片となり、フランジが合成樹脂フィルムと芯材により挟持され、それぞれの窓穴よりブリスターが外側へ突出してなる(６)記載の自立性ブリスター包装材、
を提供するものである。
さらに、本発明の好ましい態様として、
（８）窓穴が、ブリスターから、ブリスターの内側に折り曲げられた舌片を除いた形状である(１)記載の自立性ブリスター包装材、
（９）ブリスターの下側面につながる舌片が、窓穴の下縁を越えて延設され、該延設部が窓穴の下縁において裏面側の合成樹脂フィルム側に折り曲げられ、表裏２枚の合成樹脂フィルムにより挟持されてなる(８)記載の自立性ブリスター包装材、
（１０）開口部舌片及び表裏２枚の合成樹脂フィルムが、捲回された１枚の合成樹脂フィルムからなる(５)記載の自立性ブリスター包装材、及び、
（１１）上部に吊下孔を備えたヘッダー部を有する(１)ないし(１０)のいずれか１項に記載の自立性ブリスター包装材、
を挙げることができる。
【発明の効果】
【０００５】
本発明のブリスター包装材は、ブリスターの下側面からはみ出した部分がないので自立性を有し、店頭において、吊下棒から吊り下げて展示するのみならず、展示台に載置して展示することもでき、展示効果を高めることができる。本発明のブリスター包装材は、ブリスターがほぼ直方体形状であるとき、直方体の横側面の一つに接する袋体の部分を除いて最密充填することができ、密度高く箱詰めして、輸送効率を高めることができる。本発明のブリスター包装材は、ブリスター部と袋体の接着に熱溶着や感圧接着剤などを必要とせず、効率的かつ経済的に製造することができる。
【発明を実施するための最良の形態】
【０００６】
本発明の自立性ブリスター包装材は、表裏２枚の合成樹脂フィルムからなる袋体とブリスターの周縁にフランジを有するブリスター部とからなるブリスター包装材において、ブリスターの下側面が袋体と略直交する平面であり、袋体の下縁が該平面の近傍に存在し、ブリスターの下側面につながる部分のフランジがブリスターの内側に折り曲げられて舌片となり、袋体の表面側の合成樹脂フィルムに窓穴が開けられ、ブリスターが窓穴より突出し、フランジが表裏２枚の合成樹脂フィルムにより挟持されてなる自立性ブリスター包装材である。
図１は、本発明に用いるブリスター部の一態様の正面図及びＡ−Ａ線断面図である。本態様のブリスター部１は、ブリスター２の周縁にフランジ３を有し、ブリスターの下側面４につながる部分のフランジがブリスターの内側に折り曲げられて舌片５となっている。また、ブリスターの両側面の下部とフランジが接するところに切り込み６が設けられている。切り込みは、袋体を構成する合成樹脂フィルムを挿し込むことができればよいが、本図では理解を容易にするために、幅を有する形状として表している。このようなブリスター部は、合成樹脂シートから真空成形法などにより略直方体のブリスターを形成し、図１の左方の正面図に示す形状にフランジを切断し、ブリスターの下側面につながる部分のフランジを内側に折り込んで舌片５とすることにより作製することができる。
【０００７】
本発明の自立性ブリスター包装材においては、ブリスター部の下部に脚を設けることができる。図２は、本発明に用いるブリスター部の他の態様の正面図、側面図、Ｂ−Ｂ線断面図及びＣ−Ｃ線断面図である。本態様のブリスター部１は、ブリスター２の周縁にフランジ３を有し、ブリスターの下側面４につながる部分のフランジがブリスターの内側に折り曲げられて舌片５となっている。また、ブリスターの両側面の下部とフランジが接するところに切り込み６が設けられている。切り込みは、袋体を構成する合成樹脂フィルムを挿し込むことができればよいが、本図では理解を容易にするために、幅を有する形状として表している。さらに、ブリスター部の下部に二つの脚７が設けられている。ブリスター部の下部に脚を設けることにより、脚の下面が実質的にブリスターの下側面となり、脚の下面が袋体と略直交する限り、ブリスター包装材は安定して自立することができる。このようなブリスター部は、合成樹脂シートに真空成形法などにより脚を有するブリスターを形成し、フランジの下方の左右を切断し、切り込みを入れ、ブリスターの下側面につながる部分のフランジを内側に折り込んで舌片５とすることにより作製することができる。
【０００８】
図３は、本発明の自立性ブリスター包装材の他の態様の正面図、Ｄ−Ｄ線切断部端面図、Ｅ−Ｅ線切断部端面図及びＦ−Ｆ線切断部端面図である。本態様の自立性ブリスター包装材は、表面側の合成樹脂フィルム９と裏面側の合成樹脂フィルム１０からなる袋体８と、ブリスター２の周縁にフランジ３を有するブリスター部とからなる。ブリスターの下側面４は、袋体８と略直交する平面であり、袋体の下縁１４が該平面の近傍に存在し、ブリスターの下側面につながる舌片５がブリスターの内側に折り込まれている。本発明の自立性ブリスター包装材は、ブリスターの下側面より下方には台紙もフランジも存在しないので、展示台に垂直に載置したとき、転倒することなく、ブリスターの下側面４を底面として自立する。ブリスターに商品が収納されたブリスター包装体は、商品のために重心が低くなるので、自立安定性が良好となる。
本発明の自立性ブリスター包装材を箱詰めするとき、ブリスターの下側面４がブリスターの上側面１２と接するように箱詰めし、上下方向にはブリスター間に隙間なく詰めることができるので、密度高く充填して、輸送効率を高めることができる。
図３に示す態様の自立性ブリスター包装材は、表面側の合成樹脂フィルム９と裏面側の合成樹脂フィルム１０からなる袋体８の表面側の合成樹脂フィルムに窓穴１１が開けられている。窓穴は熱溶断により打ち抜き、窓穴の縁部を強化して破れにくくすることが好ましい。ブリスター部のブリスター２が窓穴１１から突出し、ブリスター部のフランジ３が表裏２枚の合成樹脂フィルムにより挟持されている。
【０００９】
本発明の自立性ブリスター包装材は、ブリスターの横側面につながるフランジの二つの側縁が略平行な二直線であり、該二直線間の距離が袋体の幅に略等しいことが好ましい。図３に示す態様の自立性ブリスター包装材においては、ブリスターの横側面につながる部分のフランジ３の二つの側縁が略平行な二直線であり、該二直線間の距離が袋体の幅に略等しい。このために、ブリスターの横側面につながる部分のフランジが、袋体の両側縁１３に挟まれて袋体の幅方向に固定され、ブリスターの横側面につながる部分のフランジが袋体の下縁１４に支持されるので、ブリスター部は袋体により固定され、ブリスター部と袋体を熱溶着や接着剤により接着する必要がない。本発明の自立性ブリスター包装材は、窓穴が、ブリスターから、舌片を除いた形状であることが好ましい。窓穴を、ブリスターから舌片を除いた形状とすることにより、舌片５と表面側の合成樹脂フィルムの下部１５とが重なり合い、外部からの塵埃などの侵入を防止することができる。
【００１０】
本発明の自立性ブリスター包装材は、ブリスターの下側面につながる舌片を、窓穴の下縁を越えて延設し、該延設部を窓穴の下縁において裏面側の合成樹脂フィルムの側に折り曲げ、表裏２枚の合成樹脂フィルムにより挟持することができる。図４は、本発明の自立性ブリスター包装材の他の態様の切断部端面図である。本態様の自立性ブリスター包装材は、ブリスターの下側面４につながる舌片５が、窓穴の下縁１６を越えて延設され、該延設部１７が窓穴の下縁において裏面側の合成樹脂フィルムの側に折り曲げられ、表裏２枚の合成樹脂フィルムにより挟持されている。図３に示す態様の自立性ブリスター包装材では、ブリスター部に下向きにかかる力は、ブリスターの横側面につながる部分のフランジの下端のみによって支えられるが、本態様の自立性ブリスター包装材においては、ブリスター部に下向きにかかる力は、上記の延設部の折り返し部分によっても支えられるので、重量の大きい商品でも安定してブリスターに収納することができる。
【００１１】
本発明の自立性ブリスター包装材においては、ブリスター部と接しない部分の合成樹脂フィルムに、幅方向の開口部を設けることが好ましい。該開口部には、開口部を覆う開口部舌片を設け、該開口部舌片又は該開口部舌片と接する部分の袋体に、剥離材により覆われた粘着剤層を設けることができる。本態様の自立性ブリスター包装材は、開口部舌片及び表裏２枚の合成樹脂フィルムが、捲回された１枚の合成樹脂フィルムからなることが好ましい。
図５は、本発明の自立性ブリスター包装材の他の態様の背面図及びＧ−Ｇ線切断部端面図である。本態様の自立性ブリスター包装材においては、裏面側の合成樹脂フィルム１０に、幅方向の開口部１８が設けられている。開口部を経由して、ブリスターに商品を差し入れ、ブリスターから商品を取り出すことができる。開口部には、開口部を覆う開口部舌片１９が設けられ、舌片には、剥離材２０により覆われた粘着剤層２１が設けられている。剥離材としては、例えば、剥離紙、剥離フィルムなどを用いることができる。商品が収納された自立性ブリスター包装体を出荷するとき、剥離材を剥がして開口部舌片を粘着剤層により裏面側フィルムに接着して開口部を封鎖し、輸送、貯蔵中のブリスターへの塵埃などの侵入を防止することができる。自立性ブリスター包装材を購入した消費者は、舌片を開いて反復して商品を開口部より出し入れすることができる。
【００１２】
本発明の自立性ブリスター包装材は、図５に示す態様のごとく、開口部舌片１９、表面側の合成樹脂フィルム９及び裏面側の合成樹脂フィルム１０が、捲回された１枚のフィルムからなることが好ましい。捲回された１枚のフィルムにより開口部舌片及び表裏２枚の合成樹脂フィルムを構成することにより、袋体を長尺の合成樹脂フィルムから製造し、袋体の両側縁のみを熱溶断し、袋体の長さ方向には熱溶断する箇所がないので、袋体を経済的に製造することができる。また、表面側の合成樹脂フィルムと裏面側の合成樹脂フィルムに印刷を施す場合、長尺の合成樹脂フィルムに一時に印刷するので、表面側の合成樹脂フィルムと裏面側の合成樹脂フィルムに印刷ズレを生ずるおそれがない。合成樹脂フィルムに印刷する方法に特に制限はなく、例えば、グラビア印刷、フレキソ印刷、オフセット印刷、スクリーン印刷などを挙げることができる。
本発明の自立性ブリスター包装材に用いる合成樹脂フィルム製の袋体は、長尺の合成樹脂フィルムを半折重合し、両側縁を熱溶断した一辺に開口部を有する平袋とすることもできる。
本発明の自立性ブリスター包装材においては、ブリスター部のフランジが、袋体を構成する合成樹脂フィルムに断続的に部分接着されてなることが好ましい。図６は、本発明の自立性ブリスター包装材の他の態様の正面図、Ｈ−Ｈ線切断部端面図、Ｉ−Ｉ線切断部端面図及びＪ−Ｊ線切断部端面図である。本態様の自立性ブリスター包装材は、ブリスター部のフランジ３が、袋体を構成する合成樹脂フィルムに７個の円形の接着部２２により断続的に部分接着されている。ブリスター部のフランジを合成樹脂フィルムに断続的に部分接着することにより、ブリスター部と合成樹脂フィルムの変形を最小限に抑えて、美麗な自立性ブリスター包装材とすることができる。フランジと合成樹脂フィルムを部分接着する方法に特に制限はないが、熱溶着、超音波溶着及び高周波溶着を好適に用いることができる。
【００１３】
本発明の自立性ブリスター包装材は、表裏２枚の合成樹脂フィルムの間に、合成樹脂シート又は合成紙からなる芯材を設けることができる。図７は、本発明の自立性ブリスター包装材の他の態様の切断部端面図である。本態様の自立性ブリスター包装材においては、表面側の合成樹脂フィルム９と裏面側の合成樹脂フィルム１０の間に、芯材２３が設けられている。表裏２枚の合成樹脂フィルムの間に芯材を設けることにより、袋体の剛性を高め、自立性を向上することができる。
本発明の自立性ブリスター包装材においては、表裏２枚の合成樹脂フィルムにそれぞれ窓穴を設け、ブリスターの下側面につながる舌片をブリスターの内側に折り曲げ、フランジを合成樹脂フィルムと芯材により挟持し、それぞれの窓穴よりブリスターを外側へ突出させることができる。
図８は、本発明の自立性ブリスター包装材の他の態様の正面図、Ｋ−Ｋ線切断部端面図及びＬ−Ｌ線切断部端面図である。表面側の合成樹脂フィルム９と裏面側の合成樹脂フィルム１０の間に、芯材２３が設けられている。表裏２枚の合成樹脂フィルムにそれぞれ窓穴１１が設けられ、それぞれの窓穴よりブリスター２が外側へ突出している。ブリスターの下側面につながる舌片５が、ブリスターの内側に折り曲げられ、ブリスター部のフランジ３が、表面側の合成樹脂フィルム９又は裏面側の合成樹脂フィルム１０と芯材２３により挟持されている。本態様の自立性ブリスター包装材は、２個のブリスターを有するので、例えば、機器本体と附属部品を同時に販売するときに、一つのブリスターに機器本体を収納し、他のブリスターに付属部品を収納することができる。また、本態様の自立性ブリスター包装材は、ブリスターの下側面が広くなるので、極めて安定した自立性を有する。
【００１４】
本発明の自立性ブリスター包装材は、上部に吊下孔を備えたヘッダー部を設けることが好ましい。図９は、本発明の自立性ブリスター包装材の他の態様の正面図である。本態様の自立性ブリスター包装材は、ブリスター２が突出する合成樹脂フィルム製の袋体８の上部に、吊下孔２４を備えたヘッダー部２５を有する。吊下孔を備えたヘッダー部を上部に設けることにより、吊り下げて展示することが可能となり、店頭の状況に応じて、吊下棒を用いる吊り下げ展示と展示台を用いる載置展示を選択することができる。
本発明に用いる合成樹脂フィルム、合成樹脂シート及び合成紙の材質に特に制限はなく、例えば、ポリエチレン、ポリプロピレン、ポリエステル、ポリアミドなどを挙げることができる。本発明においては、合成樹脂フィルムと合成樹脂シート又は合成紙の材質が同じであることが好ましい。同じ材質の合成樹脂フィルムと合成樹脂シート又は合成紙を用いることにより、両側縁の熱溶断に際して、良好な状態の溶着を形成することができる。本発明においては、合成樹脂フィルムとして積層フィルムを用いることができる。積層フィルムとしては、例えば、二軸延伸ポリプロピレンフィルムと無延伸ポリプロピレンフィルムとの積層フィルムなどを挙げることができる。積層フィルムは、例えば、ドライラミネーション、押出ラミネーションなどにより製造することができる。
本発明において、ブリスター部を構成する合成樹脂シートの材質は、透明で真空成形、圧空成形などが可能であれば特に制限はなく、例えば、硬質塩化ビニル樹脂、ポリプロピレン、ポリスチレン、ポリカーボネートなどを挙げることができる。
【産業上の利用可能性】
【００１５】
本発明のブリスター包装材は、ブリスターの下側面からはみ出した台紙がないので自立性を有し、店頭において、吊下棒から吊り下げて展示するのみならず、展示台に載置して展示することもでき、展示効果を高めることができる。本発明のブリスター包装材は、ブリスターがほぼ直方体形状であるとき、直方体の横側面の一つに接する袋体の部分を除いて最密充填することができ、密度高く箱詰めして、輸送効率を高めることができる。本発明のブリスター包装材は、ブリスター部と合成樹脂フィルムの袋体の接着に熱溶着や感圧接着剤などを必要とせず、効率的かつ経済的に製造することができる。
【図面の簡単な説明】
【００１６】
【図１】本発明に用いるブリスター部の一態様の正面図及び断面図である。
【図２】本発明に用いるブリスター部の他の態様の正面図、側面図及び断面図である。
【図３】本発明の自立性ブリスター包装材の一態様の正面図及び切断部端面図である。
【図４】本発明の自立性ブリスター包装材の他の態様の切断部端面図である。
【図５】本発明の自立性ブリスター包装材の他の態様の背面図及び切断部端面図である。
【図６】本発明の自立性ブリスター包装材の他の態様の正面図及び切断部端面図である。
【図７】本発明の自立性ブリスター包装材の他の態様の切断部端面図である。
【図８】本発明の自立性ブリスター包装材の他の態様の正面図及び切断部端面図である。
【図９】本発明の自立性ブリスター包装材の他の態様の正面図である。
【符号の説明】
【００１７】
１  ブリスター部
２  ブリスター
３  フランジ
４  下側面
５  舌片
６  切り込み
７  脚
８  袋体
９  表面側の合成樹脂フィルム
１０  裏面側の合成樹脂フィルム
１１  窓穴
１２  上側面
１３  側縁
１４  袋体の下縁
１５  合成樹脂フィルムの下部
１６  窓穴の下縁
１７  延設部
１８  開口部
１９  舌片
２０  剥離材
２１  粘着剤層
２２  接着部
２３  芯材
２４  吊下孔
２５  ヘッダー部
【図１】
2007091244.tif 000003
【図２】
2007091244.tif 000004
【図３】
2007091244.tif 000005
【図４】
2007091244.tif 000006
【図５】
2007091244.tif 000007
【図６】
2007091244.tif 000008
【図７】
2007091244.tif 000009
【図８】
2007091244.tif 000010
【図９】
2007091244.tif 000011